(57)【要約】【課題】  ネットワークに容易に接続可能で、ユーザの意図しないオブジェクトアクセスを禁止又は制限できるようにする。【解決手段】  表示部１０６の電源がオン状態では、無線ユニット１０４を介して外部機器と通信可能であり、再生モードであれば、外部機器は、記録媒体１１０に記録されている記録データにアクセス可能であり、撮影モードであれば、外部機器は、レンズユニット、撮像素子１０１及びカメラ信号処理部１０２によってメモリ１０８に書き込まれた画像データを受信できる。表示部１０６の電源がオフ状態では、外部機器と通信できない。また、外部器機器と通信している状態で、表示部１０６の電源がオフになると、外部機器との通信を切断する。【選択図】  図１
2005333416.tif 000002
【特許請求の範囲】
【請求項１】
記録媒体に記録されている画像信号を所定の伝送フォーマットに従いワイヤレス送信する通信手段と、
前記画像信号を表示する表示手段と、
前記表示部の状態を検知する表示検知手段と、
前記表示検知手段によって得られた検出結果に応じて前記通信手段の通信を制御する制御手段
とを具備することを特徴とする画像再生装置。
【請求項２】
前記制御手段は、前記表示検出手段によって得られた検出結果に応じて、前記通信手段の電源を制御することを特徴とする請求項１に記載の画像再生装置。
【請求項３】
前記制御手段は、前記表示検出手段によって得られた検出結果に応じて、前記記録媒体に記録されているオブジェクトの読み出しを禁止することを特徴とする請求項１に記載の画像再生装置。
【請求項４】
複数のワイヤレス通信手段と、
前記通信手段のうちアクティブなものを検出する通信種別検出手段と、
前記画像信号を表示する表示手段と、
前記表示部の状態を検知する表示検知手段と、
前記表示検知手段によって得られた検出結果と前記通信種別検出手段によって得られた検出結果に応じて、前記複数のワイヤレス通信手段の通信を制御する制御手段
とを具備することを特徴とする画像再生装置。
【請求項５】
前記制御手段は、前記表示検出手段によって得られた検出結果と前記通信種別検出手段によって得られた検出結果に応じて、前記ワイヤレス通信手段の電源を制御することを特徴とする請求項４に記載の画像再生装置。
【請求項６】
前記制御手段は、前記表示検出手段によって得られた検出結果と前記通信種別検出手段によって得られた検出結果に応じて、前記記録媒体に記録されているオブジェクトの読み出しを禁止することを特徴とする請求項４に記載の画像再生装置。
【請求項７】
前記制御手段は、前記表示検知手段によって得られた検出結果が非表示状態であり、前記通信種別検出手段によって得られた検出結果が基幹ネットワークである場合に、前記複数のワイヤレス通信手段の電源をオフにすることを特徴とする請求項４に記載の画像再生装置。
【請求項８】
前記制御手段は、前記表示検知手段によって得られた検出結果が非表示状態であり、前記通信種別検出手段によって得られた検出結果が基幹ネットワークである場合に、前記記録媒体に記録されているオブジェクトの読み出しを禁止することを特徴とする請求項４に記載の画像再生装置。
【請求項９】
前記表示検知手段によって得られる結果は、前記表示手段の表示のオン／オフを示すことを特徴とする請求項１又は４に記載の画像再生装置。
【請求項１０】
前記表示手段は本体に格納可能であり、本体への格納によって前記表示手段の表示がオフになることを特徴とする請求項１又は４に記載の画像再生装置。
【発明の詳細な説明】
【技術分野】
【０００１】
本発明は、画像再生装置に関し、より具体的には、無線通信手段を具備する画像再生装置に関する。
【背景技術】
【０００２】
無線ネットワーク接続による通信では、無線と言う特性上、電波を傍受される恐れがある。その無線ネットワーク環境に特定の許可された機器しか接続できないように、暗号キーによって接続を認証する機能を持っているのが普通である。例えば、特許文献１参照。
【０００３】
このようなセキュリティを維持するには、ユーザは、複雑な設定をする必要があり、また、接続する機器等の情報を予め知っておく必要がある。
【０００４】
モバイル無線機器においては、携帯性を生かし、行く先々のネットワークに容易に接続できるように、セキュリティ設定を行わず、使用している場合がある。
【特許文献１】特開２００４−１１８４８８号公報
【発明の開示】
【発明が解決しようとする課題】
【０００５】
モバイル無線機器をセキュリティ設定無しに使用すると、他のネットワーク機器からのオブジェクトの消去、書込み及び取得等のオブジェクトアクセスが容易に行え、ユーザの意図しない動作を外部から行えてしまう。
【０００６】
また、各ネットワーク環境で接続の設定を切り替える場合には、その都度、複雑なセキュリティ設定を行わなければならない。
【０００７】
本発明は、このような実情に鑑みてなされたもので、モバイル機器の携帯性を活かしつつ、多くのネットワークに容易に接続可能で、ユーザの意図しないオブジェクトアクセスを禁止又は制限できる画像再生装置を提示することを目的とする。
【課題を解決するための手段】
【０００８】
記録媒体に記録されている画像信号を所定の伝送フォーマットに従いワイヤレス送信する通信手段と、前記画像信号を表示する表示手段と、前記表示部の状態を検知する表示検知手段とを備え、前記表示検知手段によって得られた検出結果に応じて通信を制御することを特徴とする。
【０００９】
また、前記表示検出手段によって得られた検出結果に応じて、前記通信手段の電源を制御することを特徴とする。
【００１０】
また、前記表示検出手段によって得られた検出結果に応じて、記録媒体に記録されているオブジェクト取得を禁止することを特徴とする。
【００１１】
複数のワイヤレス通信手段と、前記通信手段のうちアクティブなものを検出する通信種別検出手段と、前記画像信号を表示する表示手段と、前記表示部の状態を検知する表示検知手段とを備え、前記表示検知手段によって得られた検出結果と前記通信種別検出手段によって得られた検出結果に応じて、通信を制御することを特徴とする。
また、前記表示検出手段によって得られた検出結果と前記通信種別検出手段によって得られた検出結果に応じて、前記通信手段の電源を制御することを特徴とする画像再生装置。
また、前記表示検出手段によって得られた検出結果と前記通信種別検出手段によって得られた検出結果に応じて、記録媒体に記録されているオブジェクト取得を禁止することを特徴とする。
【００１２】
また、前記表示検知手段によって得られた検出結果が非表示状態であり、前記通信種別検出手段によって得られた検出結果が基幹ネットワーク（ＷＬＡＮにおけるインフラストラクチャ）である場合に、前記通信手段の電源ＯＦＦすることを特徴とする。
【００１３】
また、前記表示検知手段によって得られた検出結果が非表示状態であり、前記通信種別検出手段によって得られた検出結果が基幹ネットワーク（ＷＬＡＮにおけるインフラストラクチャ）である場合に、記録媒体に記録されているオブジェクト取得を禁止することを特徴とする。
【００１４】
表示検知手段によって得られる結果は、表示手段の表示のＯＮ／ＯＦＦを検知することを特徴とする。
【００１５】
表示手段は本体に格納可能で、本体への格納によって表示をＯＦＦすることを特徴とする。
【発明の効果】
【００１６】
本発明によれば、表示手段が表示状態であるか否かに応じて通信を制御する、例えば、表示状態で通信手段の電源をオンにし、非表示状態では通信手段の電源をオフにすることで、表示手段の表示状態操作という視認性の高い操作によって通信手段の実行を簡単に制御することが可能になる。
【００１７】
また、外部機器と通信状態にある場合に、表示検出手段によって得られた検出結果が表示状態と判断された場合にのみ、外部機器から取得した命令を実行することで、画像再生装置の実行状態をユーザに通知することが可能になり、ユーザの認識外の動作を防止できる。
【００１８】
また、外部機器から取得した命令が記録媒体に記録されているオブジェクト取得命令と判断された場合に、処理を排除することでオブジェクトの誤消去、認識外でのオブジェクトの取得を禁止することができる。
【００１９】
また、通信種別検出手段によって得られた検出結果が所定の通信方式であると判断された場合のみ、外部機器から取得した命令を実行することで、所定外ネットワークからの認識外アクセスを禁止することができる。
【発明を実施するための最良の形態】
【００２０】
以下、図面を参照して、本発明の実施例を詳細に説明する。
【実施例１】
【００２１】
図１は本発明に係る画像記録再生装置の一実施例を示す概略構成ブロック図である。
【００２２】
撮像素子１０１は、レンズユニットによる光学像を電気画像信号に変換する。カメラ信号処理部１０２は、撮像素子１０１から出力される画像信号にγ補正及び色バランス調整等の周知のカメラ信号処理を施す周知の回路からなる。画像処理部１０３は、画像記録時には、カメラ信号処理部１０２で得られた画像信号を圧縮して記録媒体１１０に記録し、再生時には、記録媒体１１０に記録されている圧縮データを伸長する。
【００２３】
無線ユニット１０４は、ＷＬＡＮ等で外部無線機器と無線通信する。表示制御部１０５は、表示部１０６の電源と表示を制御する。表示部１０６は、例えば、液晶表示パネルからなる。ＣＰＵ１０７は、図示実施例の全体を制御する。メモリ１０８は、カメラ信号処理部１０２、画像処理部１０３及び記録再生部１０９からのデータ及びこれらへのデータを一時記憶する。
【００２４】
記録再生部１０９は、画像処理部１０３で処理されたデータを記録媒体１１０に記録し、記録媒体１１０に記録されている画像データを再生する。記録媒体１１０は、例えば、磁気ディスク、光ディスク、メモリカード又は磁気テープ等からなる。
【００２５】
本実施例の記録動作を説明する。カメラ信号処理部１０２は、撮像素子１０１から出力される画像信号を処理して、メモリ１０８に書き込む。画像処理部１０３は、メモリ１０８に書き込まれた画像データを記録用に圧縮して、メモリ１０８に書き込む。メモリ１０８に書き込まれた記録用の圧縮画像データは、記録再生部１０９を介して記録媒体１１０に記録される。このとき、表示部１０６は、カメラ信号処理１０３で取り込んだ画像データを表示する。外部機器で記録する場合、メモリ１０８に書き込まれた記録用の圧縮画像データは、無線ユニット１０４をにより、直接又は間接に当該外部機器に送信される。
【００２６】
本実施例の再生動作を説明する。記録媒体１１０に記録されている圧縮画像データは、記録再生部１０９により読み出され、メモリ１０８に書き込まれる。画像処理部１０３は、メモリ１０８に書き込まれた圧縮画像データを伸長し、伸長により復元された画像データをメモリ１０８に書き込む。表示制御部１０５は、メモリ１０８の復元された画像データを読み出し、表示部１０６に印加する。これにより、記録媒体１１０から再生された画像が表示される。また、外部機器で再生する場合は、メモリ１０８の圧縮が像データが、無線ユニット１０４を用いて、直接又は間接に当該外部機器に送信される。
【００２７】
図２は、表示部１０６の電源オン／オフに応じて外部機器との通信を制御する制御動作の一例の模式図を示す。図２において、本実施例であるビデオカメラは、無線ユニット１０４を用いて外部機器であるＰＣ（パーソナルコンピュータ）と通信可能である。本実施例であるビデオカメラでは、表示部１０６である液晶パネルを開いた状態で、自動的に表示部１０６の電源がオンになり、液晶パネルを閉じた状態で、自動的に表示部１０６の電源がオフになるものとする。
【００２８】
まず、表示部１０６の電源がオン状態（液晶パネルを開いている）では、ＰＣとの通信を行うことが可能である。ビデオカメラが再生モードであれば、ＰＣは、ビデオカメラにセットされている記録媒体１１０に記録されている記録データにアクセス可能である。また、ビデオカメラが撮影モードであれば、レンズユニット、撮像素子１０１及びカメラ信号処理部１０２によってメモリ１０８に書き込まれた画像データを、ＰＣに送信することが可能である。
【００２９】
液晶パネルの電源がオフ（液晶パネルが閉じている）状態では、ＰＣとの通信を行わない。また、液晶パネルの電源がオンでＰＣと通信している状態から、液晶パネルが閉じられ電源がオフ状態になった場合には、ビデオカメラは、ＰＣとの通信を切断する。
【００３０】
図３は、表示部１０６の電源オン／オフに応じて外部機器との通信を制限する別の制御動作の模式図を示す。
【００３１】
まず、液晶パネルの電源がオン（液晶パネルが開いている）状態では、ＰＣとの通信を行うことが可能である。ビデオカメラが再生モードであれば、ＰＣは、ビデオカメラにセットされている記録媒体１１０へのデータの書込みと読み込みが可能である。また、ビデオカメラが撮影モードである場合、ＰＣは、カメラ操作によりレンズユニット、撮像素子１０１及びカメラ信号処理部１０２によってメモリ１０８に書き込まれた画像データをＰＣに送信させることができる。
【００３２】
液晶パネルの電源がオフ（液晶パネルが閉じている）状態では、ＰＣとの通信は可能である。しかし、記録媒体１１０のファイルのオープンは禁止され、ファイルの書込みと読み込みも制限される。また、撮影モード時には、ＰＣからのカメラ操作も禁止される。
【００３３】
図４は、表示部１０６の電源状態に応じて、無線ユニット１０４の電源を制御するＣＰＵ１０７の動作フローチャートである。
【００３４】
ＣＰＵ１０７は、表示部１０６の電源がオン状態にあるか否かを表示制御部１０５に確認する（Ｓ４１）。表示部１０６の電源がオフであれば、終了する。表示部１０６の電源がオンであれば、無線ユニット１０４の電源をオン状態にする（Ｓ４２）。
【００３５】
本実施例では、表示部１０６の電源状態に応じて無線ユニット１０４の電源を制御することで外部機器との通信を切断したが、表示部１０６の電源状態に応じて無線ユニット１０４を介して通信している外部機器に通信終了を通知することで、通信を終了しても良い。
【００３６】
図５は、表示部１０６の電源状態に応じて、記録媒体１１０に記録されているオブジェクトへのアクセスを制限するＣＰＵ１０７の動作フローチャートである。記録媒体１１０は、画像記録再生装置に装着されているものとし、外部機器は、無線ユニット１０４を介して画像記録再生装置と通信している状態にあるとする。
【００３７】
ＣＰＵ１０７は、外部機器から命令を取得したかどうかを判断する（Ｓ５１）。命令を取得していなければ、終了する。命令を取得した場合、表示部１０６の電源がオン状態かどうかを表示制御部１０５に確認する（Ｓ５２）。表示部１０６の電源がオフの場合（Ｓ５２）、外部機器から取得した命令が記録媒体１１０に記録されているオブジェクトを取得する命令かどうかを判断する（Ｓ５３）。オブジェト取得命令の場合（Ｓ５３）、オブジェクト取得処理エラー（異常処理）を外部機器に通知し、終了し（Ｓ５５）、オブジェクト取得命令でない場合（Ｓ５３）、その命令を実行して、終了する（Ｓ５４）。
【００３８】
図５に示すフローでは、表示部１０６の電源状態に応じて、記録媒体１１０に記録されているオブジェクトの取得命令を制限したが、記録媒体１１０への書込み命令についても同様に制限しても良い。
【００３９】
無線ユニット１０４が、ワイヤレスＬＡＮ通信方式を用いた通信手段を有し、基幹ネットワークに接続するインフラストラクチャ接続モードと、臨時に形成されたネットワークに接続するアドホック接続モードで接続可能であるとする。図６は、無線ユニット１０４がこのような機能を有する場合に、表示部１０６の電源に応じて、記録媒体１１０に記録されているオブジェクトへのアクセスを制限するＣＰＵ１０７の動作フローチャートである。記録媒体１１０は画像記録再生装置に装着され、外部機器は無線ユニット１０４を介して画像記録再生装置と通信している状態にあるとする。
【００４０】
ＣＰＵ１０７は、外部機器から命令を取得したか否かを判断する（Ｓ６１）。命令を取得しなければ、終了する。命令を取得すれば、命令を取得したアクティブな通信手段がインフラストラクチャ接続モードか否かを判断する（Ｓ６２）。インフラストラクチャ接続モードであれば（Ｓ６２）、表示部１０６の電源がオン状態かどうかを表示制御部１０５に確認する（Ｓ６３）。表示部１０６の電源がオフ状態のとき（Ｓ６３）、外部機器から取得した命令が記録媒体１１０に記録されているオブジェクトを取得する命令か否かを判断する（Ｓ６４）。オブジェクト取得命令の場合、オブジェクト取得処理エラー（異常処理）を外部機器に通知し、終了する（Ｓ６６）。
【００４１】
インフラストラクチャ接続モードの場合（Ｓ６２）、表示部１０６の電源がオン状態の場合（Ｓ６３）、及びオブジェクト取得命令でない場合（Ｓ６４）、外部機器から取得した命令を実行し、終了する（Ｓ６５）。
【００４２】
図６に示すフローでは、Ｓ６２において、ワイヤレスＬＡＮ通信方式でのインフラストラクチャ接続モードとアドホック接続モードによって処理実行を判断したが、Ｂｌｕｅｔｏｏｔｈ接続方式とワイヤレスＬＡＮ接続方式など、命令を取得したアクティブな通信方式によって処理実行を判断しても良い。
【図面の簡単な説明】
【００４３】
【図１】本発明の一実施例の概略構成ブロック図である。
【図２】液晶パネルの電源に応じて、外部機器との通信を制御する場合のイメージ図である。
【図３】液晶パネルの電源に応じて、外部機器との通信を制限する場合のイメージ図である。
【図４】液晶パネルの電源に応じて、無線ユニット１０４の電源を制御する場合のフローチャートである。
【図５】液晶パネルの電源に応じて、オブジェクトへのアクセスを制限する場合のフローチャートである。
【図６】接続種別、及び液晶パネルの電源に応じて、オブジェクトへのアクセスを制限する場合のフローチャートである。
【符号の説明】
【００４４】
１０１  撮像素子
１０２  カメラ信号処理部
１０３  画像処理部
１０４  無線ユニット
１０５  表示制御部
１０６  表示部
１０７  ＣＰＵ
１０８  メモリ
１０９  記録再生部
１１０  記録媒体
【図１】
2005333416.tif 000003
【図２】
2005333416.tif 000004
【図３】
2005333416.tif 000005
【図４】
2005333416.tif 000006
【図５】
2005333416.tif 000007
【図６】
2005333416.tif 000008